(57)【要約】【課題】冷蔵室の底に設けられたチルド室の冷却を効果的に行う。【解決手段】冷蔵ファン１６の向きを冷蔵室用ダクト１９側の入口とチルド室用ダクト２０側の入口の間に向けることにより、従来よりもチルド室５の冷却効果を高くする。【選択図】  図１
2004278959.tif 000002
【特許請求の範囲】
【請求項１】
前面が開放された断熱箱体と、該断熱箱体内に設けられた第１および第２の冷却室と、該第１又は第２の冷却室の背面に設けられた蒸発器と、該蒸発器で生成した冷気を吹き出すファンと、該ファンで吹き出した冷気の一部を前記第１の冷却室に送る第１のダクトと、前記ファンで吹き出した冷気の残りを前記第２の冷却室に送る第２のダクトとを有する冷凍冷蔵庫において、
前記ファンの吹き出し方向を、前記第１のダクトの入口と前記第２のダクトの入口の間に向けたことを特徴とする冷凍冷蔵庫。
【請求項２】
請求項１に記載の冷凍冷蔵庫において、
前記ファンは、取付枠体に取り付けられて前記蒸発器の上方又は上前方に設置されていることを特徴とする冷凍冷蔵庫。
【請求項３】
請求項１又は２のいずれか１つに記載の冷凍冷蔵庫において、
前記ファンの吹き出し中心方向の後方に前記蒸発器の縦中心ラインが位置するように前記蒸発器を設置したことを特徴とする冷凍冷蔵庫。
【請求項４】
請求項１又は２のいずれか１つに記載の冷凍冷蔵庫において、
前記蒸発器は、前記ファンとほぼ平行に設置されていることを特徴とする冷凍冷蔵庫。
【請求項５】
請求項１乃至４のいずれか１つに記載の冷凍冷蔵庫において、
前記第１の冷却室は冷蔵室からなり、前記第２の冷却室は前記冷蔵室の底に設けられたチルド室からなり、前記第１のダクトは前記冷蔵室に至る冷蔵室用ダクトからなり、前記第２のダクトは前記チルド室に至るチルド室用ダクトからなり、前記ファンは冷蔵ファンからなることを特徴とする冷凍冷蔵庫。
【発明の詳細な説明】
【０００１】
【発明の属する技術分野】
本発明は、冷蔵室等の第１の冷却室とその冷蔵室の底に設けたチルド室等の第２の冷却室とに送る冷気の配分比率を適正に行った冷凍冷蔵庫に関するものである。
【０００２】
【従来の技術】
図３に従来の冷凍冷蔵庫の縦断面図を、図４に同冷凍冷蔵庫の冷蔵室部分の縦断面図を、図５に同冷凍冷蔵庫の冷蔵室の冷蔵ファン近傍の横断面図を示す。この冷凍冷蔵庫は、前面開放の断熱箱体１の内部を断熱仕切壁２，３により上下方向に３室に区画し、区画された上室を冷蔵室４とし、その冷蔵室４内の底をチルド室５とし、区画された中央室を野菜室６とし、区画された下室を冷凍室７として、冷蔵室４、野菜室６、冷凍室７の前面にそれぞれ開閉扉８，９，１０を取り付け、下部の機械室１１に圧縮機１２を配置している。
【０００３】
そして、この圧縮機１２から送出された冷媒により熱交換して冷気を生成する冷凍蒸発器１３を冷凍室７の背面に、同様な冷蔵蒸発器１４を冷蔵室４の背面にそれぞれ配置し、冷凍蒸発器１３で生成される冷気を冷凍ファン１５で冷凍室７と野菜室６に送り、また冷蔵蒸発器１４で生成される冷気を冷蔵ファン１６で冷蔵室４とチルド室５に送るように、冷凍室用ダクト１７、野菜室用ダクト１８、冷蔵室用ダクト１９、チルド室用ダクト２０がそれぞれ形成されている。
【０００４】
冷蔵室用ダクト１９とチルド室用ダクト２０への冷気の配分は、冷蔵ファン１６の取り付け位置の設定によって行い、冷蔵室４の温度（３℃±２℃程度）よりもチルド室５の温度が若干低くなる（０℃±１℃程度）ようにしている。以上のような冷凍冷蔵庫は、例えば特許文献１，２に記載されている。
【０００５】
【特許文献１】特開２００１−１２４４５７号公報
【特許文献２】特開２００２−１４７９３７号公報
【０００６】
【発明が解決しようとする課題】
ところが、この冷蔵ファン１６はその向きを、冷蔵室用ダクト１９の入口の正面、又はそのダクト１９の入口の上面の正面、又はそのダクト１９の上面に傾斜させた状態に設定されていて、通常では冷気の大部分を冷蔵室４の側に流す構造であるため、容積が小さいものの低温が要求されるチルド室５の冷却効率がよくないという問題があった。
【０００７】
本発明の目的は、冷蔵室等の第１の冷却室とチルド室等の第２の冷却室に冷気を送るファンの送風の向きを所定の向きに設定し、チルド室等の第２の冷却室の冷却を効果的に行うことができるようにした冷凍冷蔵庫を提供することである。
【０００８】
【課題を解決するための手段】
請求項１にかかる発明は、前面が開放された断熱箱体と、該断熱箱体内に設けられた第１および第２の冷却室と、該第１又は第２の冷却室の背面に設けられた蒸発器と、該蒸発器で生成した冷気を吹き出すファンと、該ファンで吹き出した冷気の一部を前記第１の冷却室に送る第１のダクトと、前記ファンで吹き出した冷気の残りを前記第２の冷却室に送る第２のダクトとを有する冷凍冷蔵庫において、前記ファンの吹き出し方向を、前記第１のダクトの入口と前記第２のダクトの入口の間に向けたことを特徴とする冷凍冷蔵庫とした。
【０００９】
請求項２にかかる発明は、請求項１に記載の冷凍冷蔵庫において、前記ファンは、取付枠体に取り付けられて前記蒸発器の上方又は上前方に設置されていることを特徴とする冷凍冷蔵庫とした。
【００１０】
請求項３にかかる発明は、請求項１又は２のいずれか１つに記載の冷凍冷蔵庫において、前記ファンの吹き出し中心方向の後方に前記蒸発器の縦中心ラインが位置するように前記蒸発器を設置したことを特徴とする冷凍冷蔵庫とした。
【００１１】
請求項４にかかる発明は、請求項１又は２のいずれか１つに記載の冷凍冷蔵庫において、前記蒸発器は、前記ファンとほぼ平行に設置されていることを特徴とする冷凍冷蔵庫とした。
【００１２】
請求項５にかかる発明は、請求項１乃至４のいずれか１つに記載の冷凍冷蔵庫において、前記第１の冷却室は冷蔵室からなり、前記第２の冷却室は前記冷蔵室の底に設けられたチルド室からなり、前記第１のダクトは前記冷蔵室に至る冷蔵室用ダクトからなり、前記第２のダクトは前記チルド室に至るチルド室用ダクトからなり、前記ファンは冷蔵ファンからなることを特徴とする冷凍冷蔵庫とした。
【００１３】
【発明の実施の形態】
図１は本発明の実施形態の冷凍冷蔵庫の冷蔵ファン部分の横断面図、図２は冷蔵ファンを取り付ける取付枠体の斜視図である。本実施形態においては、従来では図３や図５に示したように、冷蔵室用ダクト１９の入口に対して正対面していた冷蔵ファン１６を、チルド室用ダクト２０の側を向くように水平方向に回転させて傾けて配置した。この傾き角度θは例えば３０度である。取付枠体３０はその中央部３０ａが両側部３０ｂ，３０ｃに対して角度θだけ傾斜していて、その中央部３０ａに冷蔵ファン１６が取り付けられ、その取付枠体３０が冷蔵室用ダクト１９の入口とチルド室用ダクト２０の入口の後側に固定されている。この状態において、冷蔵ファン１６の中心点を冷蔵室用ダクト１９の中心線Ａが通り、冷蔵ファン１６の吸込み吹き出しの中心線Ｂが冷蔵用蒸発器１４の垂直方向の中心線と交わるように、その冷蔵ファン１６の位置や傾きが設定されている。
【００１４】
このように冷蔵ファン１６をチルド室用ガイド２０の入口の側に傾けて取り付けることにより、冷蔵用蒸発器１４で生成される冷気が冷蔵ファン１６に吸い込まれると冷蔵室用ダクト１９とチルド室用ダクト２０の中間部分に向けて吹き出されるので、冷蔵ファン１６が冷蔵室用ダクト１９を向いていた従来の場合と比べると、冷蔵室用ダクト１９側への冷気の割合が減少し、チルド室用ダクト２０側への冷気の割合が増大することになる。
【００１５】
よって、冷蔵室４の冷却効果を大きく低下させることなく、チルド室５の冷却をより強力化させることができ、そのチルド室５の目標温度を安定的に維持できるようになる。
【００１６】
なお、ここでは冷蔵用蒸発器１４は図３に示したように冷蔵室４の背面においてその冷蔵室４に対面しているが、角度θだけ傾いた冷蔵ファン１６と平行になるように傾けてもよい。また、以上では冷蔵室とチルド室を対象とするする場合について説明したが、冷蔵室とチルド室に限られるものではなく、１つのファンにより２つの冷却室に冷気を配分する機構のすべてに適用できることは勿論である。
【００１７】
【発明の効果】
以上から本発明によれば、２つの冷却室に冷気を送るファンの送風の向きを２つの冷却室用の２つのダクトの入口の間を向くように設定したので、これを例えば冷蔵室とチルド室に適用すれば、チルド室の冷却をより効果的に行うことができるようになる。
【図面の簡単な説明】
【図１】本発明の１つの実施形態の冷凍冷蔵庫の冷蔵ファン近傍の横断面図である。
【図２】取付枠体に取り付けた冷蔵ファンの斜視図である。
【図３】従来の冷凍冷蔵庫の縦断面図である。
【図４】同冷凍冷蔵庫の冷蔵室の縦断面図である。
【図５】同冷凍冷蔵庫の冷蔵ファン近傍の横断面図である。
【符号の説明】
４：冷蔵室、５：チルド室、１４：冷蔵用蒸発器、１６：冷蔵ファン、１９：冷蔵室用ダクト、２０：チルド室用ダクト、３０：取付枠体
【図１】
2004278959.tif 000003
【図２】
2004278959.tif 000004
【図３】
2004278959.tif 000005
【図４】
2004278959.tif 000006
【図５】
2004278959.tif 000007